【手続補正書】
【提出日】平成19年9月6日(2007.9.6)
【手続補正１】
【補正対象書類名】明細書
【補正対象項目名】請求項６
【補正方法】変更
【補正の内容】
【請求項６】  上記第１ヘッド部の内壁には、上記第２ヘッド部に向けて延出し、先端部内壁に内向突起をもつ係合筒が複数設けられているとともに、上記第２ヘッド部の内壁には、上記複数の係合筒と対応して上記第１ヘッド部に向けて延出し、先端に上記内向突起と係合しうる傘状係合部をもつ係合軸が複数設けられており、上記第１ヘッド部と第２ヘッド部とは、上記各係合筒に上記各係合軸を挿入し、上記内向突起と上記傘状係合部とを相互係合させることにより、一体化させられ、
上記ワイパーブレードは、上記各係合筒と対応した複数の貫通孔を有しており、各貫通孔に上記各係合筒を通挿させるようにして、上記第１ヘッド部と第２ヘッド部との間に狭持されている、請求項５に記載のワイパー。
【手続補正２】
【補正対象書類名】明細書
【補正対象項目名】０００５
【補正方法】変更
【補正の内容】
【０００５】
上記ヘッドホルダ１０３は、上記ヘッド本体１０２を保持する保持部１３１と、棒状の柄４が連結される柄部１３２とを備えている。保持部１３１は、金属板を断面コ字状となるように折り曲げるなどして、天板１３１ａの両端縁から互いに対向する一対の側板１３１ｂ…が延出するように形成されており、上記ヘッド１１０を側板１３１ｂ…間に挟み込んで、ねじ１３３…などによりこれを固定している。柄部１３２は、柄４の外径と同等の内径を有する円筒状に形成されており、柄４を嵌挿した後、ねじ固定するなどして柄４を連結する。また、柄部１３２は、水切り作業を行いやすくするため、ワイパーブレード１０１の基部を床面などの被水切り面Ｓ（図８，９参照）に対して垂直にしたときに、柄４が被水切り面Ｓに対して適切な角度で傾斜するように、保持部１３１の天板１３１ａに固定されている。
【手続補正３】
【補正対象書類名】明細書
【補正対象項目名】０００６
【補正方法】変更
【補正の内容】
【０００６】
このワイパー１００を使用する際には、ワイパーブレード１０１の長手方向が進行方向に対して垂直となるように柄４を掴んで、被水切り面Ｓ上の水分を押し流すように、あるいは、引き寄せるように操作する。このとき、ワイパーブレード１０１は、弾性を有しているので、その基部を中心として左右同一角度で撓むことができる。これにより、ワイパー１００を引くように操作する場合（図８（ａ））と、押すように操作する場合（図８（ｂ））との両方において、ワイパーブレード１０１の先端部１０１ｂを被水切り面Ｓに対して適切な傾斜角度で傾斜させることができる。その結果、ワイパーブレード１０１が適切な接触圧力で被水切り面Ｓに接触し、被水切り面Ｓ上の水分を効率的に掻き集めることができるのである。
【手続補正４】
【補正対象書類名】明細書
【補正対象項目名】０００８
【補正方法】変更
【補正の内容】
【０００８】
【発明が解決しようとする課題】
しかしながら、ワイパー１００を長期間使用していくうちにワイパーブレード１０１の先端が摩耗すれば、ワイパーブレード１０１の幅方向長さが短くなってしまう。これにより、ワイパーブレード１０１が撓みにくくなり、作用角θが大きくなる傾向にある。このような際には、このワイパー１００では、柄部１３２が保持部１３１に固定されているので、作用角θを水切れ角α以下とするためには、柄４の被水切り面Ｓに対する傾斜角度ψ（以下「操作角ψ」という）を変化させればならない。より詳細には、ワイパー１００を引くように操作する場合では、図９（ａ）に示すように、水切り作業中において、たとえば腰を曲げて前屈するなど無理な姿勢をとって、操作角ψを小さくしなければならず、体力的な負担が増大する。また、ワイパー１００を押すように操作する場合では、図９（ｂ）に示すように、操作角ψを大きくしなければならず、ワイパー１００を押すように操作するのが困難である。したがって、いずれの場合にせよ、ワイパーブレード１０１が摩耗すれば、被水切り面Ｓ上の水分を効率的に掻き集めることが困難である。
【手続補正５】
【補正対象書類名】明細書
【補正対象項目名】００２３
【補正方法】変更
【補正の内容】
【００２３】
好ましい実施の形態においてはさらにまた、上記第１ヘッド部の内壁には、上記第２ヘッド部に向けて延出し、先端部内壁に内向突起をもつ係合筒が複数設けられているとともに、上記第２ヘッド部の内壁には、上記複数の係合筒と対応して上記第１ヘッド部に向けて延出し、先端に上記内向突起と係合しうる傘状係合部をもつ係合軸が複数設けられており、上記第１ヘッド部と第２ヘッド部とは、上記各係合筒に上記各係合軸を挿入し、上記内向突起と上記傘状係合部とを相互係合させることにより、一体化させられ、上記ワイパーブレードは、上記各係合筒と対応した複数の貫通孔を有しており、各貫通孔に上記各係合筒を通挿させるようにして、上記第１ヘッド部と第２ヘッド部との間に狭持されている。
【手続補正６】
【補正対象書類名】明細書
【補正対象項目名】００３０
【補正方法】変更
【補正の内容】
【００３０】
図１は、本願発明に係るワイパーの一例を示す概略分解斜視図、図２は、図１のII-II線に沿う断面図、図３は、図１におけるヘッドの分解斜視図、図４は、図３のIV-IV線に沿う断面図である。図５は、図１に示すワイパー使用時におけるワイパーブレードの作用を説明するための断面図であり、（ａ）はこのワイパーを引くように操作する場合について示し、（ｂ）はこのワイパーを押すように操作する場合について示す。図６は、図５におけるワイパーブレードが摩耗した際の作用を説明するための断面図であり、（ａ）はこのワイパーを引くように操作した場合について示し、（ｂ）はこのワイパーを押すように操作した場合について示す。
【手続補正７】
【補正対象書類名】明細書
【補正対象項目名】００３５
【補正方法】変更
【補正の内容】
【００３５】
上記第１ヘッド部２ａの内壁には、第２ヘッド部２ｂに向けて延出する複数の係合筒２４…が設けられている。各係合筒２４…の先端部内壁には、図４に示すように、内向突起２４ａが設けられている。各係合筒２４…は、その先端側の内径が基端側の内径よりも小となるように形成されており、その基端側は、第１ヘッド部２ａの外面に開口させた操作孔２４ｂに連通している。また、各係合筒２４…は、図３に示すように、その先端から基端へ延びるスリット２４ｃによって、複数の舌片に分離されており、弾性拡径可能となっている。
【手続補正８】
【補正対象書類名】明細書
【補正対象項目名】００３９
【補正方法】変更
【補正の内容】
【００３９】
上記ヘッド１０を分解する際には、図４に示すように、上記係合筒２４の基端側の内径と同等の外径の軸部５ａを有する解除用治具５を用いることができる。すなわち、第１ヘッド２ａの上記操作孔２４ｂから解除用治具５の軸部５ａを挿入すれば、この軸部５ａが係合筒２４の先端側の内壁面を内側から押圧し、係合筒２４を強制拡径することができる。これにより、上記内向突起２４ａと傘状係合部２５ａとの相互係合を解除することができる。さらに、解除用治具５を挿入しつづければ、軸部５ａの先端が傘状係合部２５ａの先端に作用し、上記ヘッド本体２を第１ヘッド部２ａと第２ヘッド部２ｂとに容易に分割することができる。
【手続補正９】
【補正対象書類名】明細書
【補正対象項目名】００４１
【補正方法】変更
【補正の内容】
【００４１】
上記ヘッドホルダ３は、図１に示すように、上記ヘッド本体２の被保持部２１に側方から嵌合してこれを抱持する２つのクランプ部３１…と、柄４を連結するための柄部３２とを有している。このヘッドホルダ３は、本実施形態では、所定の弾性を有する樹脂により一体形成されており、ワイパーＡを軽量化している。
【手続補正１０】
【補正対象書類名】明細書
【補正対象項目名】００４２
【補正方法】変更
【補正の内容】
【００４２】
上記各クランプ部３１…は、上記被保持部２１の外径と対応した円筒状内面を有しており、本実施形態では、その内径は、被保持部２１の外径と同等とされている。また、各クランプ部３１…は、図２に示すように、断面略Ｃ字状を呈しており、所定の厚みを有している。各クランプ部３１…の周面に沿った長さは、被保持部２１の周面に沿った長さよりも小とされており、その軸心方向長さは、被保持部２１の軸心方向長さと同等とされている。これらのクランプ部３１…は、各被保持部２１…と対応するように配置されている。
【手続補正１１】
【補正対象書類名】明細書
【補正対象項目名】００５６
【補正方法】変更
【補正の内容】
【００５６】
また、ヘッドホルダの柄部に短尺棒状の柄を取り付けるなどして、ウィンドウ用のワイパとすることもできる。